(57)【要約】【課題】自動原稿送り装置で複写禁止の原稿の読み取り操作をした場合でも、その原稿がそのままの状態で回収されることを阻止することを可能とする画像読み取り装置、画像読み取りプログラムを提供する。【解決手段】原稿に描かれた画像を読み取る読み取り手段と、読み取り手段により画像が読み取られる位置に原稿を搬送する原稿搬送手段と、読み取り手段により読み取られた画像を示す画像情報を生成する生成手段と、生成手段により生成された画像情報により、原稿が複写禁止であるか否かを検出する検出手段と、検出手段により原稿が複写禁止であることが検出された場合には、当該原稿を再利用が不可能な状態とする再利用不可手段と、を有する。【選択図】図１２
2010010827.tif 000002
【特許請求の範囲】
【請求項１】
原稿に描かれた画像を読み取る読み取り手段と、
前記読み取り手段により前記画像が読み取られる位置に前記原稿を搬送する原稿搬送手段と、
前記読み取り手段により読み取られた画像を示す画像情報を生成する生成手段と、
前記生成手段により生成された画像情報により、前記原稿が複写禁止であるか否かを検出する検出手段と、
前記検出手段により前記原稿が複写禁止であることが検出された場合には、当該原稿を再利用が不可能な状態とする再利用不可手段と、
を有する画像読み取り装置。
【請求項２】
前記再利用不可手段は、複写禁止であることが検出された原稿を挟み込むことにより、当該原稿を再利用が不可能な状態とする請求項１に記載の画像読み取り装置。
【請求項３】
前記再利用不可手段は、複写禁止であることが検出された原稿を被覆する部材によって被覆することにより、当該原稿を再利用が不可能な状態とする請求項１に記載の画像読み取り装置。
【請求項４】
前記再利用不可手段は、複写禁止であることが検出された原稿に対し、穴開け、色材の塗布、及びのり付けのうちの少なくとも１つの処理を加えることにより、当該原稿を再利用が不可能な状態とする請求項１に記載の画像読み取り装置。
【請求項５】
前記原稿搬送手段により連続して搬送された複数の原稿のうち、少なくとも１つの原稿に対して前記検出手段により前記原稿が複写禁止であることが検出された場合には、前記再利用不可手段は、前記複数の原稿を再利用が不可能な状態とする請求項１〜請求項４のいずれか１項に記載の画像読み取り装置。
【請求項６】
画像が読み取られる位置に原稿を搬送する原稿搬送手段により搬送された原稿に描かれた画像を読み取る読み取り手段により読み取られた画像を示す画像情報を生成する生成ステップと、
前記生成ステップにより生成された画像情報により、前記原稿が複写禁止であるか否かを検出する検出ステップと、
前記検出ステップにより前記原稿が複写禁止であることが検出された場合には、当該原稿を再利用が不可能な状態とする再利用不可ステップと、
を有する処理をコンピュータに実行させるための画像読み取りプログラム。
【発明の詳細な説明】
【技術分野】
【０００１】
本発明は、画像読み取り装置、画像読み取りプログラムに関する。
【背景技術】
【０００２】
近年、プリンタなどの画像処理装置のセキュリティに関する技術が数多く提案されている。その技術の一つとして、原稿からスキャナ等で読み取られた画像データが複写禁止とされる画像データであれば画像の出力を停止させる機能などがあり、様々な角度から偽造を防止する技術の開発がなされている。
【０００３】
また、複写禁止物であるか否かが判別され、その判別結果を基に画像の出力可否の制御を行う技術もある。
【０００４】
更に、原稿の画像データが複写禁止物の画像データであると判別された場合、全く原稿とは関係ない画像を形成する特殊データを出力したり、偽造時の追跡調査に有効な暗号データ等を別途付加したりする画像処理装置も提案されている。
【０００５】
特許文献１では、複写禁止物の画像データであると判別された場合にハード的に原稿そのものの回収を阻止することで再利用が防ぐ技術が提案されている。この特許文献１はプラテンに置かれた原稿の扱いに関するもので、開閉をロックすることで原稿の回収を阻止するようになっている。
【０００６】
また、特許文献２には、プラテンから原稿を回収する自動原稿送り装置が開示されており、この場合の自動原稿送り装置は、禁複写原稿を他の原稿と区別（仕分け）して排出するものである。
【特許文献１】特開２００５−２０３３４号公報
【特許文献２】特開平７−２１２５８２号公報
【発明の開示】
【発明が解決しようとする課題】
【０００７】
このように、従来の技術では、自動原稿送り装置で複写禁止の原稿の読み取り操作をした場合には、その原稿がそのままの状態で操作を行っている者に回収される可能性があるという問題点があった。
【０００８】
本発明は上記問題点に鑑み、自動原稿送り装置で複写禁止の原稿の読み取り操作をした場合でも、その原稿がそのままの状態で回収されることを阻止することを可能とする画像読み取り装置、画像読み取りプログラムを提供することを目的とする。
【課題を解決するための手段】
【０００９】
上記目的を達成するために、請求項１の発明は、原稿に描かれた画像を読み取る読み取り手段と、前記読み取り手段により前記画像が読み取られる位置に前記原稿を搬送する原稿搬送手段と、前記読み取り手段により読み取られた画像を示す画像情報を生成する生成手段と、前記生成手段により生成された画像情報により、前記原稿が複写禁止であるか否かを検出する検出手段と、前記検出手段により前記原稿が複写禁止であることが検出された場合には、当該原稿を再利用が不可能な状態とする再利用不可手段と、を有するものである。
【００１０】
請求項２の発明は、請求項１の発明において、前記再利用不可手段は、複写禁止であることが検出された原稿を挟み込むことにより、当該原稿を再利用が不可能な状態とするものである。
【００１１】
請求項３の発明は、請求項１の発明において、前記再利用不可手段は、複写禁止であることが検出された原稿を被覆する部材によって被覆することにより、当該原稿を再利用が不可能な状態とするものである。
【００１２】
請求項４の発明は、請求項１の発明において、前記再利用不可手段は、複写禁止であることが検出された原稿に対し、穴開け、色材の塗布、及びのり付けのうちの少なくとも１つの処理を加えることにより、当該原稿を再利用が不可能な状態とするものである。
【００１３】
請求項５の発明は、請求項１〜請求項４のいずれか１項の発明において、前記原稿搬送手段により連続して搬送された複数の原稿のうち、少なくとも１つの原稿に対して前記検出手段により前記原稿が複写禁止であることが検出された場合には、前記再利用不可手段は、前記複数の原稿を再利用が不可能な状態とするものである。
【００１４】
上記目的を達成するために、請求項６の発明は、画像が読み取られる位置に原稿を搬送する原稿搬送手段により搬送された原稿に描かれた画像を読み取る読み取り手段により読み取られた画像を示す画像情報を生成する生成ステップと、前記生成ステップにより生成された画像情報により、前記原稿が複写禁止であるか否かを検出する検出ステップと、前記検出ステップにより前記原稿が複写禁止であることが検出された場合には、当該原稿を再利用が不可能な状態とする再利用不可ステップと、を有する処理をコンピュータに実行させるための画像読み取りプログラムである。
【発明の効果】
【００１５】
請求項１の発明によれば、原稿が複写禁止であることが検出された場合には、当該原稿を再利用が不可能な状態とする結果、自動原稿送り装置で複写禁止の原稿の読み取り操作をした場合でも、その原稿がそのままの状態で回収されることを阻止することを可能とする画像読み取り装置を提供することができるという効果が得られる。
【００１６】
請求項２の発明によれば、複写禁止であることが検出された原稿を挟み込む結果、回収を阻止することができ、自動原稿送り装置で複写禁止の原稿の読み取り操作をした場合でも、その原稿がそのままの状態で回収されることを阻止することを可能とする画像読み取り装置を提供することができるという効果が得られる。
【００１７】
請求項３の発明によれば、複写禁止であることが検出された原稿を被覆する部材によって被覆する結果、回収を阻止することができ、自動原稿送り装置で複写禁止の原稿の読み取り操作をした場合でも、その原稿がそのままの状態で回収されることを阻止することを可能とする画像読み取り装置を提供することができるという効果が得られる。
【００１８】
請求項４の発明によれば、複写禁止であることが検出された原稿に対し、穴開け、色材の塗布、及びのり付けのうちの少なくとも１つの処理を加える結果、その原稿がそのままの状態で回収されることを阻止することを可能とする画像読み取り装置を提供することができるという効果が得られる。
【００１９】
請求項５の発明によれば、複数の原稿のうち、少なくとも１つの原稿が複写禁止であることを検出した場合には、前記複数の原稿を再利用が不可能な状態とする結果、他にも複写禁止の原稿が存在する可能性のある複数の原稿に対して、それらの原稿がそのままの状態で回収されることを阻止することを可能とする画像読み取り装置を提供することができるという効果が得られる。また、検出手段の検出ミスで複写禁止と検出されなかった原稿に対しても、その原稿がそのままの状態で回収されることを阻止することを可能とする。
【００２０】
請求項６の発明によれば、原稿が複写禁止であることが検出された場合には、当該原稿を再利用が不可能な状態とする結果、自動原稿送り装置で複写禁止の原稿の読み取り操作をした場合でも、その原稿がそのままの状態で回収されることを阻止することを可能とする画像読み取りプログラムを提供することができるという効果が得られる。
【発明を実施するための最良の形態】
【００２１】
以下、図面を参照して、本発明の実施の形態について詳細に説明する。なお、本実施の形態では、画像読み取り装置の一例としてプリンタを用いている。
【００２２】
図１は、そのプリンタ１０のハードウェア構成を示している。プリンタ１０は、ＣＰＵ（Central Processing Unit）４０と、フラッシュメモリ４２と、ＲＡＭ（Random Access Memory）４４と、ＮＶＭ（Non-Volatile Memory）４６と、ＵＩ（User Interface）４８と、ＨＤＤ（Hard Disk Drive）５０と、プリンタエンジン５２と、スキャナエンジン５４と、ＡＤＦ（Auto Document Feeder）５６と、通信Ｉ／Ｆ（インタフェース）５８と、バス６０とを含む。
【００２３】
ＣＰＵ４０は、プリンタ１０の全体の動作を司るものであり、後述するフローチャートに示される処理は、ＣＰＵ４０により実行される。フラッシュメモリ４２は、ＲＡＭ４４に展開されるプログラム及び起動する際に動作するブートプログラム等が記憶されている。
【００２４】
ＲＡＭ４４は、ＯＳ（Operating System）やプログラムや画像情報等が展開される記憶装置である。ＮＶＭ４６には、プリンタ１０に係る設定値等が記憶される。ＵＩ４８は、ユーザがプリンタ１０の操作や情報を入力する際に用いられるものである。ＨＤＤ５０は、画像情報等が記録される記憶装置である。
【００２５】
プリンタエンジン５２は、紙等の記録媒体に画像を印刷するエンジンである。スキャナエンジン５４は、原稿に描かれた画像を読み取るとともに、読み取られた画像を示す画像情報を生成する。この画像情報により、ＣＰＵ４０は、原稿が複写禁止であること検出する。この検出には種々の方法がある。例えば、コピーすると複写禁止を示す文字が浮かび上がるように印刷された紙の場合には、その文字が画像情報に示されているか否かで検出することができる。或いは、複写禁止を示す模様が印刷された紙の場合は、その模様が画像情報に示されているか否かで検出することができる。
【００２６】
ＡＤＦ５６は、スキャナエンジン５４により画像が読み取られる位置に原稿を搬送するもので、自動原稿送り装置である。
【００２７】
通信Ｉ／Ｆ５８は、ネットワークに接続するためのＮＩＣ（Network Interface Card）やそのドライバ、或いはＵＳＢデバイス等を含んで構成される。バス６０は、情報のやりとりが行われる際に使用される。
【００２８】
なお、以上説明した構成に、電話回線と接続するためのインタフェースや、画像処理に関するものを加えるようにしても良い。
【００２９】
なお、上述したＨＤＤ５０には、ＣＰＵ４０により実行される後述する画像読み取りプログラムやそのプログラムが用いるデータなどが記録される。このプログラムは、必ずしもＨＤＤ５０に記録されたプログラムでなくても良い。ＨＤＤ５０以外の記録媒体として、具体的には可搬型の記録媒体にプログラムを記録したものが挙げられる。この場合、プリンタ１０に、可搬型の記録媒体を読み取るための読み取り装置を設け、可搬型の記録媒体は読み取り装置に対して、磁気、光、電気等のエネルギーの変化状態を引き起こし、それに対応する信号の形式で、読み取り装置にプログラムの記述内容を伝達できるものである。
【００３０】
可搬型の記録媒体として、例えば光磁気ディスク、光ディスク（ＣＤやＤＶＤなどを含む）、磁気ディスク、メモリ（ＩＣカード、メモリカードなどを含む）などが挙げられる。
【００３１】
次に、ＡＤＦ５６の詳細について、図２を用いて説明する。図２に示すように、ＡＤＦ５６は、プリンタ本体２０の上面に対して脱着可能であり、さらに、紙面奥行き方向の奥側に設けられた図示しないヒンジ金具を支点として開閉可能である。
【００３２】
このＡＤＦ５６を上方に持ち上げると（開くと）、プリンタ本体２０の上面に設けられたプラテンガラス１５０が露出するようになっている。プリンタ１０は、ＡＤＦ５６によって取り込まれた原稿から画像を読み取ることもできるし、ユーザによってプラテンガラス１５０上に置かれた原稿から画像を読み取ることもできる。
【００３３】
また、ＡＤＦ５６は、給紙手段１１と、ピックアップローラ１２と、搬送ローラ１３、１４、１５、１６と、排出ローラ１７と、排紙手段１８とを備えている。ピックアップローラ１２と、搬送ローラ１３、１４、１５、１６と、排出ローラ１７とは、原稿を搬送する搬送部として機能する。
【００３４】
原稿が給紙手段１１上に置かれた状態でユーザによってスキャン（画像の読み取り）が指示されると、ピックアップローラ１２によって原稿が１枚ずつＡＤＦ５６の内部に取り込まれる。取り込まれた原稿は、スキャナエンジン５４が画像を読み取る画像読取位置Ｓまで搬送ローラ１３、１４、１５、１６によって搬送され、その画像読取位置Ｓにおいてスキャナエンジン５４が画像を読み取り可能な一定の速度で搬送される。スキャナエンジン５４により画像の読み取りが終了すると、原稿は搬送ローラ１６及び排出ローラ１７によって排紙手段１８へと排出される。
【００３５】
次に、ＡＤＦ５６により、原稿の再利用が不可能な状態とする仕組みについて図面を用いて説明する。なお、以下の説明では、説明を簡単にするために、説明に必要な構成を図示することにする。
【００３６】
図３は、ＡＤＦ５６で残原稿を挟みこむ（取り出せなくする）構成を示す図である。この残原稿とは、複写禁止が検出された原稿、及び読み込まれていない原稿を示している。複写禁止が検出された原稿は、読み取り位置Ｓまで搬送されているが、複写禁止が検出された原稿は、一旦給紙手段１１の位置まで戻す処理を行うようにする。
【００３７】
通常、ＡＤＦ５６では原稿とピックアップローラ１２の間に適度な圧力がかかるように設計されている。具体的には、図３において、給紙手段１１からピックアップローラ１２への破線矢印のように、給紙手段１１が原稿を挟み込むようになっている。複写禁止が検出された場合に、通常よりも強い圧力をかけるようにすることで、取り出しにくくし、再利用が不可能な状態にする。
【００３８】
また、図４に示されるように、給紙手段１１に新たに残原稿取り込みローラ１９を設けるようにしても良い。この場合、複写禁止が検出された場合に、ピックアップローラ１２と協働して残原稿を上下から挟み込み、給紙手段１１上の残原稿を一括してフィーダ内へ引き込むことで容易に取り出せなくする。この場合は、図３の場合と比較して、原稿に更に強い圧力がかかるので、更に取り出しにくくするため、より再利用が不可能な状態にする。
【００３９】
次の図５、図６は、再利用が不可能な状態にするために、原稿に穴を開ける場合の構成を示している。これらの図に示されるように、穴開け手段２１を設けた構成となっている。そして、複写禁止が検出された場合に、残原稿取り込みローラ１９とピックアップローラ１２が協働して残原稿を上下から挟み込み、図６に示されるように、残原稿を一括してフィーダ内、穴あけ手段２１まで一括して取り込む。そして、穴あけ手段２１は原稿に穴をあけ、再利用が不可能な状態にする。この場合、原稿に穴が開けられたことにより、原稿がそのままの状態で回収されることはない。
【００４０】
次に、複写禁止である原稿を被覆する部材によって被覆することにより、排出原稿を回収不能とすることで、再利用が不可能な状態にする構成について説明する。なお、排出原稿とは、排紙手段１８へ排出された原稿であり、複写禁止が検出された原稿を含むものである。
【００４１】
この構成の場合、まず、排出原稿をＡＤＦ５６の側面から取り出せない構造にする。加えて、図７の上方向の矢印に示されるように、排紙手段１８が上下するように実装する。そして、複写禁止が検出された場合に、排紙手段１８を上に持ち上げて取り出し口を狭くすることで排出原稿を取り出せなくすることにより、再利用が不可能な状態にする。この場合、排紙手段１８が原稿を被覆する部材の一つとなる。
【００４２】
この図７の場合は、排紙手段１８を上下させるものであったが、図８に示されるように、取り出し口にドア２２を設けるようにしても良い。そして、複写禁止が検出された場合に、ドア２２を閉じることにより取り出し口を狭くすることで排出原稿を取り出せなくすることにより、再利用が不可能な状態にする結果、その原稿がそのままの状態で回収されることを阻止する。この場合、ドア２２が原稿を被覆する部材の一つとなる。
【００４３】
このように排出原稿を取り出せなくする構成の場合では、複写禁止が検出された際に、給紙手段１１の残原稿を排紙手段１８に重送することで、複数の原稿を再利用が不可能な状態にすることができる。
【００４４】
また、上述したような、複写禁止が検出された際に取り出せなくする方法の他に、読み取り開始に応じて原稿を取り出せなくし、全ての原稿の画像の読み取りが終了した時点で、複写禁止が検出されない場合に取り出せるようにしても良い。複写禁止が検出された場合には、そのまま取り出せない状態を維持することで原稿を再利用が不可能な状態にすることができる。
【００４５】
上述した穴あけの他に、色材の塗布、及びのり付けする場合の構成を、図９、図１０、図１１を用いて説明する。なお、これらの図では、穴開け、色材の塗布、及びのり付けする手段を穴開け手段２１を代表させて示している。この穴開け手段２１の位置に、色材の塗布を行う手段（例えば色材を噴射するスプレー）、のり付けを行う手段（のりを塗布され、原稿に接触可能ロール）を設けることで、色材の塗布、及びのり付けが可能となる。
【００４６】
なお、上記図９はＡＤＦ５６の側面図、図１０はＡＤＦ５６の斜視図、図１１（Ａ）はＡＤＦ５６の上面図、図１１（Ｂ）はＡＤＦ５６の正面図を示している。
【００４７】
図９に示されるように、穴開け手段２１はこれを位置決めする位置決め手段２３に設けられ、図１０及び図１１（Ｂ）に示されるように、排紙手段１８の中央に開けられた溝から排紙原稿に対して穴を開けるようになっている。
【００４８】
そして、図１１（Ａ）に示されるように、穴開け手段２１は、スイッチ制御などの制御により排出原稿の下を矢印に示される方向に移動することで位置決めするようになっている。
【００４９】
この構成により穴開け、色材の塗布、及びのり付けすることで、原稿の再利用が不可能な状態にする結果、その原稿がそのままの状態で回収されることを阻止する。
【００５０】
以上説明した構成により、本実施の形態に係るプリンタ１０は、複写禁止であることが検出された場合には、原稿の再利用が不可能な状態とするようになっている。
【００５１】
次に、本実施の形態に係る画像読み取り処理の流れを、図１２のフローチャートを用いて説明する。
【００５２】
まず、ステップ１０１で、原稿に描かれた画像をスキャナエンジン５４により画像が読み取られるまれ位置Ｓ（図２参照）に原稿を搬送する。次のステップ１０２で、スキャナエンジン５４により画像を読み取る。次のステップ１０３で、読み取られた画像を示す画像情報を生成する。このステップ１０３により生成された画像情報により、ＣＰＵ４０は、ステップ１０４で原稿が複写禁止であるか否かを検出する。
【００５３】
次のステップ１０５で、原稿が複写禁止であることが検出されたか否かを判断し、肯定判断した場合は、ステップ１０６で、当該原稿を再利用が不可能な状態として処理が終了する。一方、ステップ１０５で否定判断した場合には、何もせずに処理が終了する。以上説明した画像読み取り処理は、画像１枚を読み取るごとに実行される処理である。
【００５４】
なお、以上説明した各フローチャートの処理の流れは一例であり、本発明の主旨を逸脱しない範囲内で処理順序を入れ替えたり、新たなステップを追加したり、不要なステップを削除したりすることができることは言うまでもない。
【００５５】
また、上述した実施の形態では、原稿を再利用が不可能な状態とするものとして、挟み込む、被覆する、穴を開ける（色材の塗布、のり付け）について説明したが、このうちの挟み込む、及び被覆する場合は、回収できなくなるため、原稿がそのままの状態で回収されることを阻止することなる。また、穴を開ける（色材の塗布、のり付け）場合も原稿に穴、着色、のり付けされているために、原稿がそのままの状態で回収されることを阻止することなる。
【００５６】
なお、複写禁止を検出した場合、通常の処理を継続しているように処理を継続するか、あるいは印刷排出を継続することで最後の原稿まで排紙手段１８に原稿を送ることも可能である。このように最後の原稿まで通常の処理をしているように見せかける場合は、何らかのダミー画像やオリジナルに見せかけた加工画像を印刷して、複写禁止の原稿を印刷しようとしたユーザに悟られないようにすることができる。
【００５７】
また、上記では、画像情報により複写禁止を検出する場合の処理を述べた。これとは別に、ＲＦＩＤなどの使用により、事前に複写禁止であることを検知することも可能である。このような場合、検出手段はＲＦＩＤを検出可能な範囲内に設けることができる。原稿の回収は、上述した実施例を適用可能である。
【００５８】
更に、複写禁止を検出した際の上述した処理を適用する対象を、何らかの認証手順とプリンタ１０の使用時にＯＮ／ＯＦＦできる手段を組み合わせて、特定のユーザのみにすることも可能である。また、人がいない時間帯のみ動作するように動作スケジュール機能と組み合わせることも可能である。
【図面の簡単な説明】
【００５９】
【図１】プリンタのハードウェア構成を示す図である。
【図２】ＡＤＦの詳細を示す図である
【図３】ＡＤＦで残原稿を挟みこむ構成の一例を示す図である（その１）。
【図４】ＡＤＦで残原稿を挟みこむ構成の一例を示す図である（その２）。
【図５】原稿に穴を開ける場合の構成の一例を示す図である（その１）。
【図６】原稿に穴を開ける場合の構成の一例を示す図である（その２）。
【図７】複写禁止である原稿を被覆する部材によって被覆する構成の一例を示す図である（その１）。
【図８】複写禁止である原稿を被覆する部材によって被覆する構成の一例を示す図である（その２）。
【図９】穴あけ、色材の塗布、及びのり付けする場合の構成の一例を示す図である（その１）
【図１０】穴あけ、色材の塗布、及びのり付けする場合の構成の一例を示す図である（その２）。
【図１１】穴あけ、色材の塗布、及びのり付けする場合の構成の一例を示す図である（その３）。
【図１２】実施の形態に係る画像読み取り処理の流れを示すフローチャートである。
【符号の説明】
【００６０】
１０  プリンタ
１１  給紙手段
１２  ピックアップローラ
１７  排出ローラ
１８  排紙手段
１９  残原稿取り込みローラ
２１  穴開け手段
２２  ドア
２３  位置決め手段
４０  ＣＰＵ
４２  フラッシュメモリ
４４  ＲＡＭ
５０  ＨＤＤ
５２  プリンタエンジン
５４  スキャナエンジン
５６  ＡＤＦ
１５０  プラテンガラス
【図１】
2010010827.tif 000003
【図２】
2010010827.tif 000004
【図３】
2010010827.tif 000005
【図４】
2010010827.tif 000006
【図５】
2010010827.tif 000007
【図６】
2010010827.tif 000008
【図７】
2010010827.tif 000009
【図８】
2010010827.tif 000010
【図９】
2010010827.tif 000011
【図１０】
2010010827.tif 000012
【図１１】
2010010827.tif 000013
【図１２】
2010010827.tif 000014